(57)【要約】【課題】本発明は、車両制御システムに関し、スイッチングノイズ発生源の駆動中、所定周波数を用いて行われる通信がそのスイッチングノイズの周波数分散により妨害されるのを防止することにある。【解決手段】車載機と携帯機との間の微弱無線通信による照合を行うべき照合条件が成立する場合に所定周波数を用いてその照合のための微弱通信を実行させると共に、車両のイグニションオン中にパワー機器の駆動に起因して発生する上記の所定周波数から僅かにずれた周波数を有するスイッチングノイズを広帯域にわたって周波数分散させることでそのスイッチングノイズのピークレベルを低減させる。一方、車載機と携帯機との間の微弱無線通信による照合を行うべき照合条件が成立する場合には、上記したスイッチングノイズの周波数分散を停止させる（ステップ１０６）。【選択図】図３
2008278431.tif 000002
【特許請求の範囲】
【請求項１】
所定条件が成立する場合に所定周波数を用いて通信を実行する通信手段と、車両起動中に前記所定周波数から僅かにずれた周波数を有するスイッチングノイズを広帯域にわたって周波数分散させることでレベル低減させる周波数分散制御手段と、を備える車両制御システムであって、
前記周波数分散制御手段は、前記所定条件が成立する場合には、前記スイッチングノイズの周波数分散を停止させることを特徴とする車両制御システム。
【請求項２】
前記通信手段は、車載機と携帯機との間の照合を行うべき照合条件が成立する場合に前記所定周波数を用いて該照合のための微弱通信を実行すると共に、
前記周波数分散制御手段は、前記照合条件が成立する場合には、前記スイッチングノイズの周波数分散を停止させることを特徴とする請求項１記載の車両制御システム。
【請求項３】
前記通信手段は、車両が停車する場合に前記所定周波数を用いて車載機と携帯機との間の照合のための微弱通信を実行すると共に、
前記周波数分散制御手段は、車両が停車する場合には、前記スイッチングノイズの周波数分散を停止させることを特徴とする請求項１記載の車両制御システム。
【請求項４】
前記周波数分散制御手段は、前記スイッチングノイズの周波数分散を停止させた後、前記所定条件が成立しなくなった場合には、前記スイッチングノイズの周波数分散を再開させることを特徴とする請求項１記載の車両制御システム。
【発明の詳細な説明】
【技術分野】
【０００１】
本発明は、車両制御システムに係り、特に、所定のタイミングで所定周波数を用いて通信を実行すると共に、車両起動中にその所定周波数から僅かにずれた周波数を有するスイッチングノイズを広帯域にわたって周波数分散させることでレベル低減させる車両制御システムに関する。
【背景技術】
【０００２】
従来、車両における通信中にノイズ発生源となる機器の作動を停止させる車両制御システムが知られている（例えば、特許文献１参照）。このシステムにおいては、イグニションオン後、所定周波数を用いた車載機と携帯機との無線通信が開始されると、ノイズ発生源となる機器の作動が停止される。またその後、車載機と携帯機との無線通信が完了すると、その機器の作動停止が解除されてその作動が再開される。従って、かかるシステムによれば、無線通信中に機器作動に起因したノイズの発生を防止することができ、その所定周波数を用いた無線通信に対するノイズの影響を回避させることが可能となる。
【特許文献１】特開２００５−１５９７２２号公報
【発明の開示】
【発明が解決しようとする課題】
【０００３】
一般的に、パワーＭＯＳＦＥＴなどの機器を作動させることにより生ずるスイッチングノイズは、所定の周波数間隔でピークを有するものとなる。かかる機器の作動を確保しつつそのスイッチングノイズの影響を有効に抑制する手法としては、そのスイッチングノイズを広帯域にわたって周波数分散させる制御（以下、周波数分散制御と称す）を行うことが考えられる。かかる周波数分散制御によれば、ノイズが広帯域にわたって存在するようになるが、そのノイズのピークレベルが低く抑えられるので、機器の作動を確保しつつそのスイッチングノイズの影響を有効に抑制することが可能となる。
【０００４】
しかし、上記した車載機と携帯機との間の無線通信に用いられる周波数と、元々スイッチングノイズの有する周波数とが互いに近接するが僅かにずれた状況において、そのスイッチングノイズに対する周波数分散制御が行われると、却って、その周波数分散後の広帯域にわたって分布するスイッチングノイズが、その無線通信に用いられている周波数においてその無線通信におけるスペクトラムレベル以上となるおそれがあり、この点、車載機と携帯機との間の無線通信がスイッチングノイズの周波数分散により妨害される可能性がある。
【０００５】
本発明は、上述の点に鑑みてなされたものであり、スイッチングノイズ発生源の駆動中に、所定周波数を用いて行われる通信がそのスイッチングノイズの周波数分散により妨害されるのを防止することが可能な車両制御システムを提供することを目的とする。
【課題を解決するための手段】
【０００６】
上記の目的は、所定条件が成立する場合に所定周波数を用いて通信を実行する通信手段と、車両起動中に前記所定周波数から僅かにずれた周波数を有するスイッチングノイズを広帯域にわたって周波数分散させることでレベル低減させる周波数分散制御手段と、を備える車両制御システムであって、前記周波数分散制御手段は、前記所定条件が成立する場合には、前記スイッチングノイズの周波数分散を停止させる車両制御システムにより達成される。
【０００７】
この態様の発明において、所定周波数を用いた通信は、所定条件が成立する場合に実行される。また、この所定条件が成立する場合には、車両起動中に上記の所定周波数から僅かにずれた周波数を有するスイッチングノイズをレベル低減させるべく広帯域にわたって周波数分散させる処理が停止される。かかる構成によれば、所定周波数を用いた通信が行われる際に、その所定周波数から僅かにずれた周波数を有するスイッチングノイズの広帯域にわたる周波数分散が行われることはないので、その通信がスイッチングノイズの周波数分散により妨害されるのは防止される。また、スイッチングノイズの周波数分散の停止は、そのスイッチングノイズの発生源の駆動停止を伴うことなく実現される。
【０００８】
尚、上記した車両制御システムにおいて、前記通信手段は、車載機と携帯機との間の照合を行うべき照合条件が成立する場合に前記所定周波数を用いて該照合のための微弱通信を実行すると共に、前記周波数分散制御手段は、前記照合条件が成立する場合には、前記スイッチングノイズの周波数分散を停止させることとすれば、スイッチングノイズ発生源の駆動中に、所定周波数を用いた車載機と携帯機との間の通信照合が行われる際に、その照合のための通信がそのスイッチングノイズの周波数分散により妨害されるのを防止することができる。
【０００９】
また、上記した車両制御システムにおいて、前記通信手段は、車両が停車する場合に前記所定周波数を用いて車載機と携帯機との間の照合のための微弱通信を実行すると共に、前記周波数分散制御手段は、車両が停車する場合には、前記スイッチングノイズの周波数分散を停止させることとすれば、スイッチングノイズ発生源の駆動中、所定周波数を用いた車載機と携帯機との間の照合が行われる車両停車時に、その照合のための通信がそのスイッチングノイズの周波数分散により妨害されるのを防止することができる。
【００１０】
更に、上記した車両制御システムにおいて、前記周波数分散制御手段は、前記スイッチングノイズの周波数分散を停止させた後、前記所定条件が成立しなくなった場合には、前記スイッチングノイズの周波数分散を再開させることとすれば、所定周波数を用いた通信が行われなくなった後はスイッチングノイズの周波数分散によるレベル低下を図ることが可能となる。
【発明の効果】
【００１１】
本発明によれば、スイッチングノイズ発生源の駆動中に、所定周波数を用いて行われる通信がそのスイッチングノイズの周波数分散により妨害されるのを防止することができる。
【発明を実施するための最良の形態】
【００１２】
以下、図面を用いて、本発明の具体的な実施の形態について説明する。
【００１３】
図１は、本発明の一実施例である車両制御システムの構成図を示す。また、図２は、本実施例において周波数軸上で通信に用いる通信周波数とスイッチングノイズの周波数との関係を表した図を示す。
【００１４】
本実施例の車両制御システムは、車両において利用されるシステムである。この車両は、ハイブリッド自動車や電気自動車などであって、電力変換などに用いられる駆動時にスイッチングノイズを発生するパワーＭＯＳＦＥＴなどのパワーエレクトロニクス機器（以下、単にパワー機器と称す）１０を有している。パワー機器１０は、車両が通常使用可能なイグニションオン時に駆動されてスイッチングノイズを発生するノイズ源となる。このスイッチングノイズは、図２に示す如く所定の周波数間隔（例えば８０ｋＨｚ間隔）でピークを有するノイズとなる（実線で示す）。
【００１５】
上記のパワー機器１０は、機器制御部１２により制御される。機器制御部１２は、マイクロコンピュータを主体に構成された機器制御用電子制御ユニット（以下、機器ＥＣＵと称す）１４を備えている。機器ＥＣＵ１４は、車両がイグニションオン状態にあると判別される場合に、パワー機器１０に対して駆動指令を行う。
【００１６】
機器制御部１２には、上記したスイッチングノイズの低減を図るノイズ低減回路１６が内蔵されている。ノイズ低減回路１６には、上記した機器ＥＣＵ１４が接続されている。ノイズ低減回路１６は、機器ＥＣＵ１４からの指令に基づいて、パワー機器１０の駆動時に発生するスイッチングノイズを広帯域にわたって周波数分散させることでそのピークレベルを低減させる回路である。以下、この制御を周波数分散制御と称す。
【００１７】
尚、このノイズ低減回路１６としては、例えば、クロック信号の周波数をその逓倍率を単位時間ごとに変化させて変調させることで、周波数スペクトラムを分散させてそのピーク値を下げることが可能なクロック生成回路がある。ノイズ低減回路１６は、通常、パワー機器１０が駆動する車両のイグニションオン時に同時に作動する。
【００１８】
また、本実施例の車両制御システムは、車両に搭載される車載機２０と、車両乗員に携帯される携帯機２２と、を備えている。車載機２０は、車両乗員や車両に乗車しようとする人若しくは車両から降車しようとする人（以下、総称して乗員と称す）が携帯機２２を手にすることなく携帯機２２との双方向の微弱無線通信による照合結果に基づいて、乗車時に車両ドアを解錠し、降車時に車両ドアを施錠し、乗車後にステアリングロック，シフトロック等の各種ロッキングシステムを解除して車両駆動（具体的には、上記したノイズ源の駆動）を許可し、また、車両起動中（イグニションオン時）に正規の携帯機２２が車室内に存在するか否かを確認する機能を有している。
【００１９】
車載機２０は、送信アンテナ２４を有する送信部２６を備えている。送信アンテナ２４は、車両乗員が乗車時に触れる車両ドアのアウタハンドルに配設された車外用送信アンテナと、車室内のセンタコンソールフロアやルーフセンタに配設された車内用送信アンテナと、により構成されている。この車外用送信アンテナは配設部位から車外へ向けて例えば半径１ｍ〜１．５ｍ程度を範囲とする通信可能領域を、また、車内用送信アンテナは車室内全域をカバーする通信可能領域を、それぞれ有している。送信部２６は、送信アンテナ２４から送信すべき信号を例えば周波数１３４ｋＨｚの信号に変調して送信アンテナ２４に供給する。車載機２０は、送信すべき信号を送信部２６で変調した後に送信アンテナ２４から送信する。
【００２０】
車載機２０は、また、受信アンテナ２８を有する受信部３０を備えている。受信アンテナ２８は、車載機２０に唯一つ設けられた単一の受信アンテナであり、車両周辺から送信される信号および車室内から送信される信号の双方を受信する。受信部３０は、受信アンテナ２８に受信された信号を復調する。車載機２０は、受信アンテナ２８に受信された信号を受信部３０で復調して信号処理を行う。
【００２１】
上記した送信部２６及び受信部３０は、マイクロコンピュータを主体に構成された車両用電子制御ユニット（以下、車載ＥＣＵと称す）３２に接続されている。車載ＥＣＵ３２は、送信アンテナ２４から送信すべき信号を送信部２６へ供給して送信アンテナ２４から送信させると共に、受信部３０から供給された受信データを用いて各種制御を行う。
【００２２】
車載ＥＣＵ３２には、車速センサや、ドアのアウタハンドルに設けられた接触センサ及びロックスイッチ、シフトポジションセンサ、ドアカーテシスイッチ、車両運転者が操作可能な車室内に配設されたパワースイッチなどの各種センサ・スイッチ３４が接続されている。車速センサは、自車速に応じた信号を出力する。接触センサは乗員がドアのアウタハンドルに触れているか否かに応じた信号を出力する。ロックスイッチは乗員が車両外でオン操作したか否かに応じた信号を出力する。シフトポジションセンサは、シフトポジションに応じた信号を出力する。ドアカーテシスイッチは車両ドアが閉まっているか開いているかに応じた信号を出力する。また、パワースイッチは乗員が車両内でオン操作したか否かに応じた信号を出力する。
【００２３】
車載ＥＣＵ３２は、上記した各種センサ・スイッチ３４の出力に基づいてそれぞれのパラメータを検出・判別すると共に、また、車両の起動状態としての電源ポジションをオフ、アクセサリオン、イグニションオン、及びハイブリッドシステム起動オンの間で切り替える。
【００２４】
車載ＥＣＵ３２には、アクチュエータ制御部３６が接続されている。アクチュエータ制御部３６は、車両ドアのロック（施錠）・アンロック（解錠）を制御し、運転者に操作されるステアリングホイールの回転やシフトレバーの操作のロック・アンロックを制御し、車両動力であるエンジンへの燃料供給の許可・禁止を制御し、また、車室内や車室外のブザー，音声指示，車室内表示等により車両乗員に対する注意喚起・警報の発生を制御する。アクチュエータ制御部３６は、車載ＥＣＵ３２からの指令に基づいて各種アクチュエータを駆動させる。
【００２５】
車載ＥＣＵ３２には、また、上記した機器制御部１２の機器ＥＣＵ１４が接続されている。機器ＥＣＵ１４は、車載ＥＣＵ３２からの指令に基づいて、車両がイグニションオン状態にあると判別する場合にパワー機器１０に対して駆動指令を行い、車両がイグニションオン状態にないと判別する場合にパワー機器１０に対して駆動停止指令を行う。
【００２６】
また、携帯機２２は、受信アンテナ４０を有する受信部４２、及び、送信アンテナ４４を有する送信部４６を備えている。受信アンテナ４０は、車載機２０の送信する信号を受信することが可能である。受信部４２は、受信アンテナ４２に受信された信号を復調する。また、送信アンテナ４４は、例えば半径５〜１０ｍ程度の通信可能領域を有している。送信部４６は、送信アンテナ４４から送信すべき信号を例えば３００ＭＨｚの信号に変調して送信アンテナ４４に供給する。携帯機２２は、受信アンテナ４０に受信された信号を受信部４２で復調して信号処理を行うと共に、送信すべき信号を送信部４６で変調した後に送信アンテナ４４から送信する。
【００２７】
上記した送信部４６及び受信部４２は、マイクロコンピュータを主体に構成された携帯用電子制御ユニット（以下、携帯ＥＣＵと称す）４８に接続されている。携帯ＥＣＵ４８は、送信アンテナ４４から送信すべき信号を送信部４６へ供給して送信アンテナ４４から送信させると共に、受信部４２から供給された受信データを用いて各種制御を行う。
【００２８】
次に、本実施例の車載機２０と携帯機２２との動作について説明する。
【００２９】
本実施例のシステムにおいて、車載機２０は、車両が駐車状態（車両がシステム起動されることなく車両ドアが閉鎖されてロックされている状態）にある状況では、所定時間間隔ごとに、携帯機２２の応答を要求するリクエストコードと自車両の識別コードとからなる信号（以下、リクエスト信号と称す）を変調して車外用送信アンテナ２４から無線送信する。また、車載機２０は、車両がシステム起動されることなく車両ドアが閉鎖されてアンロックされている状況では、ドアアウタハンドルに設けられたロックスイッチが操作されたことを検知すると、リクエスト信号を変調して車外用及び車室内それぞれの送信アンテナ２４から無線送信する。
【００３０】
また、車載機２０は、車室内のパワースイッチが押下されること、車両の電源ポジションがオン状態（アクセサリオン、イグニションオン、又はハイブリッドシステム起動オン）にあること、車両ドアが開状態から閉状態に切り替わること、ブレーキペダルが操作されること、及び車速が略ゼロであることを検知すると、リクエスト信号を変調して車内用の送信アンテナ２４から無線送信する。
【００３１】
上記の如く車外用又は車内用の送信アンテナ２４からのリクエスト信号の送信が行われると、車外又は車内に、車載機２０が携帯機２２の進入を検知する検知エリアが形成される。携帯機２２は、その送信アンテナ２４の通信可能領域（検知エリア）に存在することにより、車載機２０からのリクエスト信号を受信アンテナ４０で受信すると、その後、そのリクエスト信号に応答したレスポンスコードと自携帯機２２の識別コードとを含む信号（以下、レスポンス信号と称す）を変調して送信アンテナ４４から無線送信する。
【００３２】
車載機２０の車載ＥＣＵ３２は、送信アンテナ２４からリクエスト信号を送信した後に携帯機２２からのレスポンス信号を受信アンテナ２８で受信した場合、まず、そのレスポンス信号を復調して、その信号に含まれるレスポンスコードが送信アンテナ２４から送信したリクエスト信号に応答したものであってかつ識別コードが自車両に対応したものであるか否かを判別する通信照合を行う。
【００３３】
そして、車載ＥＣＵ３２は、車両の駐車中に所定時間間隔ごとにリクエスト信号が無線送信される状況での通信照合の結果としてコードが一致するものとなる場合には、正規の携帯機２２を携帯する車両乗員が自車両に乗車しようとしているとして、車両ドアをロックからアンロックへ移行させるためのスタンバイモードとなる。かかるスタンバイ状態で車両乗員が車両ドアのアウタハンドルに触れたことを検知すると、アクチュエータ制御部３６に対して車両ドアのロックを解除させそのドアをアンロックさせる指令を行う。従って、この場合には、車両ドアがロックからアンロックへ移行することとなる。
【００３４】
また、ロックスイッチの操作によりリクエスト信号が無線送信される状況での通信照合の結果としてコードが一致するものとなる場合には、正規の携帯機２２を携帯する車両乗員が自車両から降車しようとしているとして、アクチュエータ制御部３６に対して車両ドアのアンロックを解除させそのドアをロックさせる指令を行う。従って、この場合には、車両ドアがアンロックからロックへ移行することとなる。
【００３５】
また、パワースイッチの押下によりリクエスト信号が無線送信される状況での通信照合の結果としてコードが一致するものとなる場合には、正規の携帯機２２を携帯する車室内の車両乗員により車両の電源ポジションの遷移が要求されているとして車両の電源ポジションをオフとアクセサリオンとイグニションオンとハイブリッドシステム起動オンとの間で遷移させると共に、また、アクチュエータ制御部３６及び機器制御部１２に対してその遷移後の電源ポジションに応じた指令を行う。従って、この場合には、車両の電源ポジションが遷移すると共に、適宜、パワー機器１０が駆動され、ステアリングホイールやシフトレバーが操作ロックとアンロックとの間で切り替わる。
【００３６】
更に、車載ＥＣＵ３２は、電源ポジションがイグニションオン状態にありかつ車両ドアが開状態から閉状態に切り替わることによりリクエスト信号が無線送信される状況での通信照合の結果としてコードが一致するものとなる場合には、正規の携帯機２２が車室内に存在するとして、何ら処理を進めることはない。一方、かかるリクエスト信号が無線送信される状況での通信照合の結果としてコードが一致しない場合には、正規の携帯機２２が車室内に存在しないとして、アクチュエータ制御部３６に車両乗員に対する注意喚起・警報を発生させる指令を行う。従って、この場合には、車両の電源ポジションがイグニションオン状態にあるにもかかわらず正規の携帯機２２が車室内に存在しないとして、車両乗員に対して注意喚起・警報が発せられる。
【００３７】
このように、本実施例のシステムにおいては、上記の如き適当なタイミングで行われる車載機２０と携帯機２２との無線通信による照合の結果に基づいて、車両ドアのロック・アンロック、パワー機器１０の駆動、及びステアリングホイールやシフトレバーの操作ロック・アンロックを制御することができ、また、電源ポジションがイグニションオン状態にある状況で正規の携帯機２２が車室内に存在するか否かを判定することができる。
【００３８】
このため、車両乗員が携帯機２２をスイッチ操作したり手に持つことなく携帯するだけで車載機２０と携帯機２２との無線通信による照合結果に応じて、セキュリティ性を損なうことなく、乗車時や降車時には車両ドアを非接触で遠隔的にロック・アンロックすることができ、パワー機器１０を駆動させることができ、ステアリングホイールやシフトレバーを操作ロック・アンロックすることができ、また、電源ポジションがイグニションオン状態にある状況で正規の携帯機２２の車外への持ち出しを検知することができる。
【００３９】
ところで、上記の如く、本実施例においては、車載機２０と携帯機２２との間で所定周波数（例えば、１３４ｋＨｚや３００ＭＨｚ）を用いた無線通信による照合が行われる。また、スイッチングノイズ（例えば、周波数間隔８０ｋＨｚ）が発生し得るパワー機器１０が駆動されると共に、ノイズ低減回路１６がそのスイッチングノイズをレベル低減させるべくそのスイッチングノイズを広帯域にわたって周波数分散させる周波数分散制御を実行する（周波数分散後のスイッチングノイズを図２に破線で示す）。
【００４０】
しかし、車載機２０と携帯機２２との間の微弱の無線通信に用いられる周波数（例えば１３４ｋＨｚ）が、周波数分散前のスイッチングノイズの周波数（例えば８０ｋＨｚと１６０ｋＨｚ）の略中間に位置するなど、両者が僅かにずれた状況で、そのスイッチングノイズの周波数分散制御が行われると、図２に示す如く、却って、その周波数分散後の広帯域にわたって分布するスイッチングノイズが、その無線通信に用いられている周波数においてその無線通信におけるスペクトラムレベル以上となるおそれがあり、この点、車載機２０と携帯機２２との間の無線通信がスイッチングノイズの周波数分散により妨害される可能性があった。
【００４１】
そこで、本実施例のシステムは、スイッチングノイズを発生させるパワー機器１０の駆動中に車載機２０と携帯機２２との間の無線通信がスイッチングノイズの周波数分散により妨害されるのを防止することとしている。以下、図３を参照して、本実施例の特徴部について説明する。図３は、本実施例の車両制御システムにおいて実行される制御ルーチンの一例のフローチャートを示す。
【００４２】
本実施例において、車載機２０の車載ＥＣＵ３２は、電源ポジションがイグニションオンにあることを検知する場合、機器制御部１２の機器ＥＣＵ１４に対してパワー機器１０の駆動を指令する。かかる指令が行われると、以後、パワー機器１０が駆動されることで、例えば車両走行が可能となるが、その一方、そのパワー機器１０の駆動に起因してスイッチングノイズが発生することとなる。尚、パワー機器１０が駆動されるときは、原則として、その駆動と同時に、発生するスイッチングノイズを広帯域に周波数分散させる周波数分散制御が実行される。
【００４３】
車載ＥＣＵ３２は、電源ポジションがイグニションオンにあってパワー機器１０が駆動される状況にある場合（ステップ１００における肯定判定時）、次に、車載機２０と携帯機２２との間の無線通信による照合を行うべき状況すなわち車載機２０から携帯機２２へ所定周波数（例えば１３４ｋＨｚ）を用いてリクエスト信号を送信すべき状況にあるか否かを判別する（ステップ１０２）。電源ポジションがイグニションオンにあって上記の無線通信による照合が行われるべき状況としては、例えば、電源ポジションをイグニションオンからアクセサリオンやオフへ遷移させる条件（具体的には、パワースイッチの押下）が成立した場合や、車両ドアが開状態から閉状態に切り替わることによって正規の携帯機２２が車室内に存在するか否かを確認すべき場合などがある。
【００４４】
そして、かかる通信照合を行うべき状況にないと判別した場合は、通常どおり、機器ＥＣＵ１４に対してスイッチングノイズの周波数分散の実行を指令する（ステップ１０４）。かかる指令が行われると、機器ＥＣＵ１４は、パワー機器１０を駆動させると共に、ノイズ低減回路１６に周波数分散制御を実行させることで、ノイズ低減回路１６は、パワー機器１０の駆動に起因するスイッチングノイズを広帯域にわたって周波数分散させる。
【００４５】
一方、上記の通信照合を行うべき状況にあると判別した場合は、まず、機器ＥＣＵ１４に対してスイッチングノイズの周波数分散を停止させる指令を行う（ステップ１０６）。かかる指令が行われると、機器ＥＣＵ１４は、パワー機器１０の駆動を維持する一方、ノイズ低減回路１６に周波数分散制御を停止させることで、ノイズ低減回路１６は、パワー機器１０の駆動に起因して所定の周波数間隔で生じ得るスイッチングノイズの広帯域にわたる周波数分散を停止させる。
【００４６】
車載ＥＣＵ３２は、上記の如くスイッチングノイズについての周波数分散の停止指令を行った後、機器ＥＣＵ１４から周波数分散を停止させた旨の通知を受けた場合或いは指令後に周波数分散が確実に停止される所定の遅延時間が経過した場合、車載機２０と携帯機２２との通信照合を行うべくその間の無線通信を開始する（ステップ１０８）。具体的には、車載機２０から携帯機２２への所定周波数（例えば１３４ｋＨｚ）を用いたリクエスト信号の送信を開始する。
【００４７】
このように、本実施例のシステムにおいては、車両がイグニションオン状態にあることによりパワー機器１０が駆動されている状況では、原則として、そのパワー機器１０の駆動に起因して発生し得るピークが所定の周波数間隔（例えば８０ｋＨｚ間隔）で現れるスイッチングノイズの周波数分散を実行させるが、かかる状況でも車載機２０と携帯機２２との通信照合を行うべき条件が成立した場合には例外的に、その車載機２０と携帯機２２との間の微弱無線通信を所定周波数を用いて実行する前に具体的には車載機２０が例えば周波数１３４ｋＨｚのリクエスト信号を携帯機２２へ向けて送信する前に、パワー機器１０の駆動に起因したスイッチングノイズの周波数分散を停止させることができる。そして、その周波数分散が停止された以後に、車載機２０と携帯機２２との間の微弱無線通信を所定周波数を用いて開始実行することができる。すなわち、車載機２０と携帯機２２との間の微弱無線通信中は、スイッチングノイズの周波数分散が停止される。
【００４８】
パワー機器１０が駆動される一方でスイッチングノイズの周波数分散が停止されると、そのパワー機器１０の駆動に起因して、図２に実線で示す如き所定の周波数間隔でピークを有するスイッチングノイズが発生することとなる。周波数分散が施されたスイッチングノイズは、広帯域にわたって分布するので、上記した車載機２０と携帯機２２との間の微弱の無線通信に用いる周波数のスペクトラムレベル以上となることがあるのに対し、この周波数分散が施されないスイッチングノイズは、所定の周波数間隔でピークを有し、かつ、その無線通信に用いる周波数から僅かに離間してずれたピーク周波数を有するので、その無線通信に用いる周波数のスペクトラムレベル以上となることは回避される。
【００４９】
従って、本実施例のシステムによれば、車載機２０と携帯機２２との間で照合のための所定周波数（例えば１３４ｋＨｚ）を用いた微弱無線通信が行われる際に、その所定周波数から僅かにずれた周波数（例えば８０ｋＨｚや１６０ｋＨｚ）を有するスイッチングノイズの広帯域にわたる周波数分散が実行されることはないので、その微弱無線通信（例えば、車載機２０の送信した周波数１３４ｋＨｚのリクエスト信号の、携帯機２２における受信）が周波数分散後のスイッチングノイズにより妨害されるのを防止することができる。
【００５０】
また、本実施例において、上記したスイッチングノイズの周波数分散の停止は、そのスイッチングノイズの発生源であるパワー機器１０の駆動停止を伴うことなく実現される。従って、本実施例のシステムによれば、スイッチングノイズ発生源であるパワー機器１０の駆動中に、上記した車載機２０と携帯機２２との間の所定周波数を用いた微弱無線通信がそのスイッチングノイズの周波数分散により妨害されるのを防止することが可能となっており、パワー機器１０の駆動を継続しつつ所定周波数を用いた無線通信の品質を確保することが可能となっている。
【００５１】
更に、本実施例のシステムにおいては、上記の如くパワー機器１０の駆動中にスイッチングノイズの周波数分散が停止されても、その後、車載機２０と携帯機２２との通信照合を行うべき条件が成立しなくなった場合には、その周波数分散を再開することができる。このため、車載機２０と携帯機２２との間の微弱無線通信が行われなくなった後は、パワー機器１０の駆動に起因して生ずるスイッチングノイズのピークレベルを周波数分散制御により確実に低下させることが可能となっている。
【００５２】
尚、上記の実施例においては、車載機２０と携帯機２２との間の照合のための微弱無線通信を行う送信アンテナ２４を有する送信部２６、受信アンテナ２８を有する受信部３０、受信アンテナ４０を有する受信部４２、及び送信アンテナ４４を有する送信部４６が特許請求の範囲に記載した「通信手段」に、ノイズ低減回路１６が特許請求の範囲に記載した「周波数分散制御手段」に、それぞれ相当している。
【００５３】
ところで、上記の実施例においては、車載機２０が携帯機２２へ向けて送信するリクエスト信号の周波数と、パワー機器１０の駆動に起因して発生し得るピークが所定の周波数間隔で現れるスイッチングノイズの有するピーク周波数とが僅かにずれたものであるが、本発明はこれに限定されるものではなく、携帯機２２が車載機２０へ向けて送信するレスポンス信号の周波数と、そのスイッチングノイズのピーク周波数とが僅かにずれたものに適用することとしてもよい。
【００５４】
また、上記の実施例においては、パワー機器１０の駆動中に車載機２０と携帯機２２との通信照合を行うべき条件が成立した場合に、そのパワー機器１０の駆動に起因して生ずるスイッチングノイズの周波数分散を停止させることとしているが、パワー機器１０の駆動中に車載機２０と携帯機２２との通信照合が行われるすべてのタイミングが含まれる車両が停車する場合に、上記したスイッチングノイズの周波数分散を停止させることとしてもよい。
【００５５】
更に、上記の実施例においては、パワー機器１０の駆動に起因して発生し得るピークが所定の周波数間隔で現れるスイッチングノイズの周波数分散の停止を、車載機２０と乗員の携帯する携帯機２２との間の所定周波数を用いた微弱無線通信による照合を行うべき条件が成立した場合にその通信による照合を開始する前に行うこととしているが、所定の車載装置内で所定周波数を用いた有線通信を行うべき条件が成立した場合にその通信の開始前に行うこととしてもよい。
【図面の簡単な説明】
【００５６】
【図１】本発明の一実施例である車両制御システムの構成図である。
【図２】周波数軸上で通信周波数とスイッチングノイズの周波数との関係を表した図である。
【図３】本実施例の車両制御システムにおいて実行される制御ルーチンの一例のフローチャートである。
【符号の説明】
【００５７】
１０  パワーエレクトロニクス機器
１２  機器制御部
１４  機器ＥＣＵ
１６  ノイズ低減回路
２０  車載機
２２  携帯機
３２  車載ＥＣＵ
３４  センサ・スイッチ
２４，４４  送信アンテナ
２６，４６  送信部
２８，４０  受信アンテナ
３０，４２  受信部
【図１】
2008278431.tif 000003
【図２】
2008278431.tif 000004
【図３】
2008278431.tif 000005